(57)【要約】本発明の目的は、油と水とが混合されていながら乳濁することなく均質な状態で安定して維持できる相溶性透明含水油を製造する方法を提供することである。本発明は、鉱物油及び植物油から選択される少なくとも一方の油と、水と、乳化剤と、を混合してエマルジョンを得る第１の工程と、エマルジョンを、前段フィルタ１４と前段フィルタよりも濾過精度が小さい後段フィルタ１６とを順次通過させる第２の工程と、第２の工程を経たエマルジョンを１００℃以下に加温した状態で、エマルジョンに透明化剤としてのアミン類を混合する第３の工程と、を備える。
2013054451.tif 000002
【特許請求の範囲】
【請求項１】
鉱物油及び植物油から選択される少なくとも一方の油と、水と、乳化剤と、を混合してエマルジョンを得る第１の工程と、
前記エマルジョンを、前段フィルタと前記前段フィルタよりも濾過精度が小さい後段フィルタとを順次通過させる第２の工程と、
前記第２の工程を経たエマルジョンを１００℃以下に加温した状態で、該エマルジョンに透明化剤としてのアミン類を混合する第３の工程と、を備えることを特徴とする相溶性透明含水油の製造方法。
【請求項２】
前記水は、酸化チタンと接触されながら紫外線照射された水である請求項１に記載の相溶性透明含水油の製造方法。
【請求項３】
前記前段フィルタの濾過精度は１〜１０μｍである請求項１又は２に記載の相溶性透明含水油の製造方法。
【請求項４】
前記後段フィルタの濾過精度は０．０５〜０．８μｍである請求項１乃至３のうちのいずれかに記載の相溶性透明含水油の製造方法。
【請求項５】
前記第１の工程では、第１の噴霧手段と、前記第１の噴霧手段に対向して配置された第２の噴霧手段と、を備えた噴霧混合装置を用い、
前記第１の噴霧手段から油を噴霧し、前記第２の噴霧手段から水及び乳化剤を噴霧し、前記油と前記水と前記乳化剤との混合を行う請求項１乃至４のうちのいずれかに記載の相溶性透明含水油の製造方法。
【請求項６】
前記アミン類は、シクロヘキシルアミンを含む請求項１乃至５のうちのいずれかに記載の相溶性透明含水油の製造方法。
【請求項７】
前記乳化剤は、脂肪酸アルカノールアミド型のノニオン界面活性剤を含む請求項１乃至６のうちのいずれかに記載の相溶性透明含水油の製造方法。
【請求項８】
前記油が鉱物油を含む場合であって、前記第３の工程における加温されたエマルジョンの温度が５０〜８０℃である請求項１乃至７のうちのいずれかに記載の相溶性透明含水油の製造方法。
【請求項９】
前記第１の噴霧手段において前記油に正電荷を付与し、前記第２の噴霧手段において前記水及び前記乳化剤に負電荷を付与する請求項５乃至８のうちのいずれかに記載の相溶性透明含水油の製造方法。
【発明の詳細な説明】
【技術分野】
【０００１】
本発明は相溶性透明含水油の製造方法に関する。更に詳しくは、油に水を混合してエマルジョン化した相溶性透明含水油の製造方法に関する。
【背景技術】
【０００２】
近年、埋蔵量が限られている石油等の化石燃料の枯渇問題や、化石燃料を燃焼させた際に排出されるＣＯ２や、ＮＯｘ、ＳＯｘ等の有害物質による地球温暖化や環境汚染の問題に対処するために、燃料油と水を混合してエマルジョン化したエマルジョン燃料が注目され、種々の製造方法が提案されている。【０００３】
例えば、特許文献１に記載されている発明は、燃料油の中に空気注入によって気泡を発生させて撹搾しつつ、２００Ｖ以上のプラス電位が付与される環境下で水を混入することによって、透明化した油水混合液を得ようとするものである。【０００４】
また、特許文献２に記載されている発明は、エダクター効果と渦流効果を利用して、植物由莱の増粘剤により水の粘度を高めた活性水と、油性燃焼促進剤を適宜調整添加した基燃油を撹搾及び循環混合することにより、長時間安定して油水が分離しない均一なエマルジョン燃料油を得ようとするものである。
【先行技術文献】
【特許文献】
【０００５】
【特許文献１】特開２００５−３０７１３６号公報
【特許文献２】特開２０１０−１３８３６２号公報
【発明の概要】
【発明が解決しようとする課題】
【０００６】
しかしながら、前述した特許文献１に記載された発明は、有害でコスト負担となる乳化剤等を使用することなく透明な混合油を製造する方法を提供するものであるが、油中に混合できる水の重量比率においては１０％〜１５％程度に留まるものであった。【０００７】
また、特許文献２に記載されている発明においては、燃料油をエダクター効果と渦流効果を利用して水と撹拌混合しているため、均一に粒子化されたエマルジョンを得ることが難しく、高い含水比率においては、油水エマルジョン状態を長期間安定して維持することが困難であるとともに、得られた製品油は透明ではないので、商品価値を高められない問題もあった。【０００８】
本発明は上記従来の技術に鑑みてなされたものであり、油と水とが混合されていながら乳濁することなく均質な状態で安定して維持できる相溶性透明含水油を製造する方法を提供することを目的とする。
【課題を解決するための手段】
【０００９】
即ち、本発明は以下に示す通りである。
（１）請求項１に記載の相溶性透明含水油の製造方法は、鉱物油及び植物油から選択される少なくとも一方の油と、水と、乳化剤と、を混合してエマルジョンを得る第１の工程と、
前記エマルジョンを、前段フィルタと前記前段フィルタよりも濾過精度が小さい後段フィルタとを順次通過させる第２の工程と、
前記第２の工程を経たエマルジョンを１００℃以下に加温した状態で、該エマルジョンに透明化剤としてのアミン類を混合する第３の工程と、を備えることを特徴とする。
（２）請求項２に記載の相溶性透明含水油の製造方法は、請求項１において、前記水が、酸化チタンと接触されながら紫外線照射された水であることを要旨とする。
（３）請求項３に記載の相溶性透明含水油の製造方法は、請求項１又は２において、前記前段フィルタの濾過精度が１〜１０μｍであることを要旨とする。
（４）請求項４に記載の相溶性透明含水油の製造方法は、請求項１乃至３のうちのいずれかにおいて、前記後段フィルタの濾過精度が０．０５〜０．８μｍであることを要旨とする。
（５）請求項５に記載の相溶性透明含水油の製造方法は、請求項１乃至４のうちのいずれかにおいて、前記第１の工程では、第１の噴霧手段と、前記第１の噴霧手段に対向して配置された第２の噴霧手段と、を備えた噴霧混合装置を用い、
前記第１の噴霧手段から油を噴霧し、前記第２の噴霧手段から水及び乳化剤を噴霧し、前記油と前記水と前記乳化剤との混合を行うことを要旨とする。
（６）請求項６に記載の相溶性透明含水油の製造方法は、請求項１乃至５のうちのいずれかにおいて、前記アミン類が、シクロヘキシルアミンを含むことを要旨とする。
（７）請求項７に記載の相溶性透明含水油の製造方法は、請求項１乃至６のうちのいずれかにおいて、前記乳化剤が、脂肪酸アルカノールアミド型のノニオン界面活性剤を含むことを要旨とする。
（８）請求項８に記載の相溶性透明含水油の製造方法は、請求項１乃至７のうちのいずれかにおいて、前記油が鉱物油を含む場合であって、前記第３の工程における加温されたエマルジョンの温度が５０〜８０℃であることを要旨とする。
（９）請求項９に記載の相溶性透明含水油の製造方法は、請求項５乃至８のうちのいずれかにおいて、前記第１の噴霧手段において前記油に正電荷を付与し、前記第２の噴霧手段において前記水及び前記乳化剤に負電荷を付与することを要旨とする。
【発明の効果】
【００１０】
本発明の相溶性透明含水油の製造方法によれば、油と水とが混合されていながら乳濁することなく均質な状態で安定して維持できる相溶性透明含水油を製造できる。
酸化チタンと接触されながら紫外線照射された水を用いる場合は、油と水とが混合されていながら乳濁することなく特に均質な状態で安定して維持できる相溶性透明含水油を製造できる。
前段フィルタの濾過精度が１〜１０μｍである場合には、濾過精度がより大きい場合に比べてより効果的に透明化を促すことができる。
後段フィルタの濾過精度が０．０５〜０．８μｍである場合には、濾過精度がより大きい場合に比べてより効果的に透明化（油水の実質的に均質に混合された状態）を促すことができる。
第１の噴霧手段とこれに対向して配置された第２の噴霧手段を備えた噴霧混合装置を用いて油と水と乳化剤との混合を行う場合には、より微細な粒子状体で油、水及び乳化剤の三者を混合できるために、効果的な混合を行うことができる。
アミン類が、シクロヘキシルアミンを含む場合は、それ以外の場合に比べてより効果的に透明化（油水の実質的に均質に混合された状態）を促すことができる。
乳化剤が、脂肪酸アルカノールアミド型のノニオン界面活性剤を含む場合には、それ以外の場合に比べてより効果的に油水の混合を促すことができる。
油が鉱物油を含む場合であって、第３の工程における加温されたエマルジョンの温度が５０〜８０℃である場合には、より効果的に透明化（油水の実質的に均質に混合された状態）を促すことができる。
第１の噴霧手段において油に正電荷を付与し、第２の噴霧手段において水及び乳化剤に負電荷を付与する場合には、電気的作用により油水の混合をより効果的に促すことができる。
【図面の簡単な説明】
【００１１】
【図１】本方法による相溶性透明含水油を製造するためのプラントの一例を示す模式図である。
【符号の説明】
【００１２】
１；貯油タンク、２；貯水タンク、３；給油管路、４；油水混合装置（噴霧混合装置）、４Ａ；第１の噴霧手段（油噴霧ノズル）、４Ｂ；第１の噴霧手段（水噴霧ノズル）、４Ｃ；駆動装置、４Ｄ；撹拌羽根、５；給油ポンプ、６；流量計、７；給水管路、８；機能水生成装置、９；給水ポンプ、１０；給水管路、１１；流量計、１２；乳化剤投入部、１３；管路、１４；前段フィルタ、１５；管路、１６；後段フィルタ、１７；管路、１８；加熱装置、１９；透明化剤投入部、２０；製品タンク、２１；取出管路。
【発明を実施するための形態】
【００１３】
本方法における「第１の工程」は、鉱物油及び植物油から選択される少なくとも一方の油と、水と、乳化剤と、を混合してエマルジョンを得る工程である。
上記「鉱物油」には、ガソリン（レギュラーガソリン、ハイオクタン化ガソリンなど）、軽油、灯油、重油（Ａ重油、Ｃ重油及びバンカーＣ重油など）が含まれる。これらは１種のみを用いてもよく２種以上を併用してもよい。
【００１４】
上記「植物油」には、各種植物から採取される油が含まれる。即ち、パームオイル（アブラヤシ）、パーム核油（アブラヤシ）、ヤシ油（ココヤシ）、コーン油（トウモロコシ）、米油（イネ）、米糠油（イネ）、綿実油（アオイ科ワタ属植物）、オリーブオイル（オリーブ）、ピーナッツ油（ラッカセイ）、菜種油（アブラナ）、サフラワー油（紅花）、ごま油（ゴマ）、大豆油（大豆）、ヒマワリ油（ヒマワリ）、ジャトロファオイル（ナンヨウアブラギリ）、ヘンプオイル（麻）、オウレンボク油（黄蓮木）、松油などの各種針葉樹から採取される油（松などの針葉樹）、その他、ナッツとして利用される各種植物の種子類から採取される油等が挙げられる。即ち、通常、バイオディーゼルと称される範疇に含まれる植物油が含まれる。
【００１５】
更に、油として鉱物油及び／又は植物油が含まれればよいが、その他にも合成油が含まれてもよい。合成油には、鉱物油を加工して得られる油、植物油を加工して得られる油、更には、鉱物油及び植物油を原料としない化学合成油が含まれる。即ち、例えば、各種ポリオレフィン系合成油、エーテル系合成油、エステル系合成油などが含まれる。合成油は１種のみが含まれてもよく２種以上が含まれてもよい。
【００１６】
更に、本方法で利用される油は、上記鉱物油であってもよく、植物油であってもよく、それらの混合物であってもよい。そして、これらの油は、新油であってもよいが、廃油であってもよく、更には、新油と廃油との混合油であってもよい。更には、第１の工程で用いる油は、油以外の不純物と供に用いることができる。
【００１７】
上記「水」は、どのような水でもよく制限なく利用できる。即ち、例えば、水道水、河川湖沼水、地下水、イオン交換水、脱イオン水、精製水、純水などを利用できる。尚、海水を利用することもできるが、通常、本方法で製油した後に塩分除去を行う必要がある。
更に水には各種加工を施すことができる。即ち、例えば、活性化処理を施すことができる。活性化処理とは、例えば、水を酸化チタンと接触させながら光を照射した水（以下、単に「機能水」ともいう）を利用することができる。上記光の種類は特に限定されず、可視光であってもよく、紫外線であってもよい。具体的には、蛍光灯の光、ブラックライトによる光、ＬＥＤによる光等を利用できる。これらの光は１種のみを用いてもよく２種以上を併用してもよい。
【００１８】
特に、脱イオン水に対して、上記活性化処理を施すことによって、酸化還元電位を３００ｍＶ以下（好ましくは５０〜３００ｍＶ、より好ましくは１００〜２５０ｍＶ）まで低下させた機能水を用いることが好ましい。酸化還元電位を低下させた機能水を利用することによって相溶性透明含水油の透明度を向上させることができるからである。尚、上記脱イオン水は、どのようにして得てもよいが、例えば、逆浸透膜や、イオン交換樹脂を用いて公知の方法で得ることができる。
【００１９】
上記「乳化剤」は、油と水とを乳化して混合するための成分である。この乳化剤としては、各種の界面活性剤を利用できる。界面活性剤は１種のみを用いてもよく２種以上を併用してもよい。
この界面活性剤としては、アニオン系界面活性剤、カチオン系界面活性剤、ノニオン系界面活性剤及び両性界面活性剤等を用いることができる。
このうち、アニオン性界面活性剤としては、スルホン酸系界面活性剤、硫酸エステル系界面活性剤、カルボン酸系界面活性剤及びリン酸エステル系界面活性剤等が挙げられる。このうちスルホン酸系界面活性剤としては、アルキルベンゼンスルホン酸塩、脂肪族スルホン酸塩等が挙げられる。また、硫酸エステル系界面活性剤としては、高級アルコールの硫酸エステル、ポリエチレングリコールアルキルエーテルの硫酸エステル等が挙げられる。カルボン酸系界面活性剤としては、カプリン酸塩、ラウリン酸塩、ミリスチン酸塩、パルミチン酸塩、オレイン酸塩、ステアリン酸塩等が挙げられる。リン酸エステル系界面活性剤としては、アルキルリン酸エステル塩等が挙げられる。
【００２０】
また、カチオン系界面活性剤としては、脂肪族アミン塩、脂肪族アンモニウム塩等が挙げられる。
更に、ノニオン系界面活性剤としては、ポリオキシエチレンアルキルエーテル等のエーテル型界面活性剤、グリセリンエステルのポリオキシエチレンエーテル等のエーテルエステル型界面活性剤、ポリエチレングリコール脂肪酸エステル、グリセリンエステル、ソルビタンエステル等のエステル型界面活性剤、ラウリン酸ジエタノールアミド、オレイン酸ジエタノールアミド、ステアリン酸ジエタノールアミド、ヤシ油脂肪酸ジエタノールアミド等のアルカノールアミド型界面活性剤、等が挙げられる。
【００２１】
また、両性界面活性剤としては、アニオン部分としてカルボン酸、硫酸エステル、スルホン酸及びリン酸エステルを、カチオン部分としてアミン及び第４級アンモニウムを持つものが挙げられる。具体的には、ラウリルベタイン、ステアリルベタイン等のベタイン類、ラウリル−β−アラニン、ステアリル−β−アラニン、ラウリルジ（アミノエチル）グリシン、オクチルジ（アミノエチル）グリシン等のアミノ酸タイプのもの等が挙げられる。
【００２２】
これらのなかでも乳化剤としては、脂肪酸アルカノールアミド型のノニオン界面活性剤が好ましく、更には、ヤシ油脂肪酸ジエタノールアミド等を用いることが好ましい。これらは１種のみを用いてもよく２種以上を併用してもよい。
【００２３】
第１の工程における混合は、水は、油１００質量部に対して５０質量部以下（通常１０質量部以上）を用いることができる。また、乳化剤は、水１００質量部に対して０．０１質量部以上（通常１０質量部以下）を用いることができる。この乳化剤の配合量は、０．０５〜１０質量部が好ましく、０．１〜５質量部がより好ましく、０．１〜１質量部が更に好ましい。即ち、例えば、１００質量部の水に対して０．３質量部の乳化剤を配合することなどができる。
【００２４】
また、特に油としてガソリンを用いる場合には、ガソリン１００質量部に対して水１０〜３５質量部を用いることができる。また、油として軽油を用いる場合には、軽油１００質量部に対して水１０〜３５質量部を用いることができる。更に、油として灯油を用いる場合には、灯油１００質量部に対して水１０〜５０質量部を用いることができる。また、油としてＡ重油を用いる場合には、Ａ重油１００質量部に対して水１０〜４５質量部を用いることができる。更に、油としてＣ重油を用いる場合には、Ｃ重油１００質量部に対して水１０〜３５質量部を用いることができる。また、油としてバンカーＣ重油を用いる場合には、バンカーＣ重油１００質量部に対して水１０〜３５質量部を用いることができる。更に、油としてパーム油（バイオディーゼル燃料を含む）を用いる場合には、パーム油１００質量部に対して水１０〜３５質量部を用いることができる。
【００２５】
第１の工程における混合は、どのように行ってもよい。即ち、例えば、（１）油、水及び乳化剤を一括して混合してもよく、（２）油及び乳化剤を混合した混合物と、水と、を混合してもよく、（３）水及び乳化剤を混合した混合物と、油と、を混合してもよく、更には、その他の混合を行ってもよいが、これらのなかでは、（３）水と乳化剤とを混合した混合物と、油と、を混合することが好ましい。この混合では乳化剤の使用量を抑えつつ、より効果的に油と水とを混合できるからである。
【００２６】
更に、第１の工程における混合では、水及び乳化剤の混合物と、油と、を各々より微細な粒子の状態にして混合することが好ましい。そのために、両者を空間内で噴霧して混合することが好ましい。即ち、具体的には、第１の噴霧手段と、第１の噴霧手段に対向して配置された第２の噴霧手段と、を備えた噴霧混合装置を用いて混合を行うことが好ましい。この噴霧混合装置を用いる場合には、更に、第１の噴霧手段から油を噴霧し、第２の噴霧手段から水及び乳化剤（又はその混合物）を噴霧して、油と水と乳化剤との混合を行うことが好ましい。これによって、乳化剤を含んだ水と、油と、がより小粒径の状態で接触することができ、とりわけ効果的に水、油及び乳化剤の三者を混合することができる。
【００２７】
更に、第１の噴霧手段から油を噴霧し、第２の噴霧手段から水及び乳化剤（又はその混合物）を噴霧し、空中で対向噴射されて微粒子化して撹搾し、落下された混合物を更に機械撹拌することが好ましい。これによって、よりぬめりの少ない又はぬめりのない油水混合物を得ることができる。
【００２８】
更に、この噴霧混合装置を用いる場合には、第１の噴霧手段において油に正電荷を付与し、第２の噴霧手段において水及び乳化剤（又はその混合物）に負電荷を付与することが好ましい。即ち、第１の噴霧手段から噴霧される成分と、第２の噴霧手段から噴霧される成分と、が互いに相対する電荷を有することで、微細な粒子状態で接触することに加えて、静電的な会合機会を更に高めることができ、とりわけ効果的に混合を行うことができるとともに、混合後の油水の分離を抑制することができる。電荷の付与はどのようにして行ってもよいが、通常、電圧印加により行う。この際に印加する電圧も特に限定されないが、各々正電圧又は負電圧において、２５〜８０Ｖとすることが好ましく、３０〜７０Ｖとすることがより好ましく、４０〜６０Ｖとすることが特に好ましい。
【００２９】
本方法における「第２の工程」は、エマルジョンを、前段フィルタとそれよりも濾過精度が小さい後段フィルタとを順次通過させる工程である。これらのフィルタを通過させることによって、第１の工程を経て得た油水混合物内の水及び油の分散径をより小さくすることができる。更に、第１の工程における混合によって生じるぬめりを除去でき、透明度を向上させることができる。更に、前段フィルタと後段フィルタとの少なくとも２段のフィルタを用い、後段フィルタの濾過精度を前段フィルタの濾過精度よりも小さいものとすることによって、第１の工程を経た油水混合物の油水分離を防止しながら、分散径を小さくすることができる。この工程を、例えば、上記後段フィルタと同じ濾過精度の１段のフィルタのみを用いて行おうとすると、第１の工程において乳化混合した油水混合物から、油と水とを分離させてしまう場合があり好ましくない。
【００３０】
この前段フィルタ及び後段フィルタへの油水混合物の通過は、どのように行ってもよい。即ち、例えば、上流側から加圧して通過させてもよく、下流側から吸引して通過させてもよく、更には、回転による遠心力を利用して通過させてもよいが、自然流下させて通過させることが特に好ましい。即ち、油水混合物の自重によって通過させることが好ましい。自然流下によって通過させることにより、第１の工程で得られた油水混合物の分離を効果的に防止できる。
【００３１】
前段フィルタの濾過精度に対して後段フィルタの濾過精度は小さければよくその差異は特に限定されないが、５倍以上の濾過精度の差異があることが好ましく、更には、５〜２０倍の差異があることが好ましく、特に５〜１０倍の差異があることが好ましい。より具体的には、前段フィルタの濾過精度は１〜１０μｍであることが好ましく、２〜９μｍであることがより好ましく、３〜７μｍであることが更に好ましい。また、後段フィルタの濾過精度は０．０５〜０．８μｍであることが好ましく、０．１〜０．７μｍであることがより好ましく、０．１５〜０．６μｍであることが更に好ましい。
【００３２】
前段フィルタ及び後段フィルタを構成するそれぞれの濾材にはどのような濾材を用いてもよい。即ち、例えば、濾紙を用いてもよく、不織布を用いてもよく、延伸多孔フィルムを用いてもよく、その他の濾材を用いてもよい。これらの濾材は１種のみを用いてもよく２種以上を併用してもよい。
これらのなかでは、前段フィルタとしては、樹脂繊維を用いた不織布からなる濾材を用いることが好ましく、いわゆる化繊紙（例えば、乾式製法の不織布）が好ましい。濾材に用いる樹脂種は特に限定されず、ポリプロピレン等のオレフィン系樹脂、ＰＥＴ等のポリエステル系樹脂、ナイロン等のポリアミド系樹脂、レーヨン及びアセテート等のセルロース系樹脂、などを用いることができる。これらのなかでも、特にポリプロピレンが好ましい。即ち、例えば、ポリプロピレン製の化繊紙を用いることができる。
更に、後段フィルタとしては、合成繊維を用いた不織布からなる濾材を用いることが好ましく、なかでも湿式製法の不織布が好ましい。濾材に用いる樹脂種は特に限定されず、ポリプロピレン等のオレフィン系樹脂、ＰＥＴ等のポリエステル系樹脂、ナイロン等のポリアミド系樹脂、レーヨン及びアセテート等のセルロース系樹脂、などを用いることができる。
【００３３】
本方法における「第３の工程」は、第２の工程を経たエマルジョンを１００℃以下に加温した状態で、このエマルジョンに透明化剤としてのアミン類を混合する工程である。
上記「透明化剤」は、第２の工程を経て得られたエマルジョンを最終的に透明化するための成分である。この透明化するとは目視によって乳濁状態を感知できない状態である。即ち、第１の工程で得られるエマルジョンは白濁状態であるが、第２の工程を経ることによって白濁の度合いが低下したより透明に近い油水混合状態となる。しかし、第２の工程を経るだけでは十分に白濁を解消できないため、最終的に第３の工程によって透明化剤を加温状態で添加することで透明化することができる。
【００３４】
透明化剤としての上記「アミン類」とは、−ＮＲ１Ｒ２Ｒ３で表されるアミン基を１つ又は２つ以上する有機化合物又はその塩である。但し、Ｒ１〜Ｒ３は、各々独立して水素原子、ハロゲン原子又は１価の有機基である。即ち、アミン類は１級アミンであってもよく、２級アミンであってもよく、３級アミンであってもよい。
【００３５】
上記アミン類を構成するＲ１〜Ｒ３が有機基である場合、これらの有機基としては、アルキル基、ヒドロキシアルキル基及びアリール基が挙げられる。アルキル基としては、炭素数１〜５の直鎖状又は分岐状のアルキル基、炭素数５〜８の環状のアルキル基等が挙げられる。具体的には、メチル基、エチル基、プロピル基及びブチル基の直鎖状又は分岐状のアルキル基や、シクロヘキシル基等のシクロアルキル基等である。また、ヒドロキシアルキル基としては、炭素数１〜５の直鎖状及び分岐状のヒドロキシアルキル基や、炭素数６〜８のヒドロキシシクロアルキル基等が挙げられる。具体的には、ヒドロキシメチル基、ヒドロキシエチル基、ヒドロキシプロピル基、ヒドロキシブチル基等のヒドロキシアルキル基や、ヒドロキシシクロヘキシル基等が挙げられる。更に、アリール基としては、フェニル基、メチルフェニル基、エチルフェニル基、ヒドロキシフェニル基等が挙げられる。また、このアミン類は水可溶性のアミン類であることが好ましい。
【００３６】
このようなアミン類としては、シクロヘキシルアミン、アミノシクロヘキサノール、シクロヘキサンジアミン、シクロヘキシルヒドロキシルアミン、トリエタノールアミン、アミノフェノール、アミノベンジルアルコール等が挙げられる。これらは１種のみを用いてもよく２種以上を併用してもよい。
【００３７】
上記透明化剤の添加量は特に限定されず成分種に応じて十分な効果が得られる程度に添加することが好ましいが、通常、添加する第２の工程を経た油水混合物を１００質量部とした場合にアミン類は０．１〜５質量部添加することが好ましい。この範囲ではより効果的に透明化を達することができる。また、この範囲を超えて添加してもよいが、この範囲を超えて添加してもその効果に変化が認められ難いからである。この添加量は、更に、０．２〜３．５質量部とすることが好ましく、０．５〜２．５質量部とすることがより好ましい。
また、特に透明化剤として、シクロヘキシルアミンとトリエタノールアミンとを併用する場合には、第２の工程を経た油水混合物を１００質量部とした場合にシクロヘキシルアミンとトリエタノールアミンとを質量比で２：８で混合した混合物を０．１〜５質量部添加することが好ましく、０．２〜３．５質量部がより好ましく、０．５〜２．５質量部が特に好ましい。
【００３８】
更に、この透明化剤の添加は、第２の工程を経たエマルジョンを１００℃以下に加温した状態で行うものである。１００℃以下に加温することで、油水混合物内からの水の蒸散を抑制しつつ、透明化剤をより効果的に作用させることができるからである。
この温度は、油として鉱物油を含む場合には、エマルジョンの温度を５０〜８０℃に加温することが好ましい。この範囲では鉱物油の揮発による引火の危険性を抑制しつつ、油水混合物内からの水の蒸散も抑制しつつ、透明化剤をより効果的に作用させることができる。更に、この温度は、５５〜７８℃がより好ましく、６０〜７５℃が特に好ましい。
【００３９】
本発明の相溶性透明含水油の製造方法によれば、３０〜５０質量％という高含水率の含水油を得ることができる。油は水に比べて単価は大幅に小さいため、油に３０〜５０質量％の水を混合することによって単位質量あたりの燃料コストを大幅に低減することができる。また、本方法によって得られた相溶性透明含水油は、油水が実質的に永久的に分離することが無い。また、燃焼の場で発熱量の向上を図ることができる。更に、植物油についてもエマルジョン化して燃料油として使用することが可能となるため、従来の化石燃料への依存の比率を大幅に減少することができる。更に、植物性燃料によるカーボンニュートラルな循環型燃料システムを構築することができる。
【００４０】
更に、本方法で得られる相溶性透明含水油は、燃焼時に、含水量分だけＣＯ２、ＮＯｘ、ＳＯｘ等の発生量を削減することができるため、地球温暖化を抑制して地球環境の保全にも大きく貢献することができる。更に、本発明の相溶性透明含水油の製造方法によって製造された含水油は、透明化されているため、製品の商品価値を高めることができる。
【００４１】
〈実施形態１〉
以下、油として軽油を用いた例を実施形態１として図１とともに説明する。
図１は、本発明の相溶性透明含水油の製造方法の１実施形態を示す、軽油と水を混合した透明含水油を製造するプラントの模式図であって、原料油となる軽油は、貯油タンク１に貯留されている。また、前記軽油に混合する水は、貯水タンク２に貯留されている。
【００４２】
前記貯油タンク１は、給油管路３で後述する油水混合装置（噴霧混合装置）４に連結されており、この給油管路３の途中に設けられている給油ポンプ５によって、貯油タンク１内の軽油が油水混合装置（噴霧混合装置）４に供給されるようになっている。また、前記給油管路３の途中には、ここを流れる軽油の流量を監視するための流量計６が設けられている。
【００４３】
一方、貯水タンク２は、給水管路７を介して機能水生成装置８の入口側に連結されており、前記給水管路７の途中に設けられている水ポンプ９によって、貯水タンク２内の水が機能水生成装置８へ送り込まれるようになっている。
【００４４】
前記機能水生成装置８は図示していないが、その内部に酸化チタンを用いた光触媒と、この光触媒に紫外線を照射する紫外線ランプが収容されていて、その入口側から内部に送り込まれた水が光触媒の間を通過する間に、水分子のクラスタが細分化されて、界面活性が高まった機能水に変わるようになっている。
【００４５】
また、前記機能水生成装置８の出口側は、給水管路１０を介して油水混合装置（噴霧混合装置）４に連結されている。前記給水管路１０の途中には、機能水生成装置８から送られてくる機能水の流量を監視するための流量計１１が組み込まれているとともに、乳化剤投入部１２が連結されている。
【００４６】
また、油水混合装置（噴霧混合装置）４の内側上部には、給油管路３と給水管路１１の末端側にそれぞれ連通する第１の噴霧手段としての油噴霧ノズル４Ａと、第２の噴霧手段としての水噴霧ノズル４Ｂと、が先端側で対向するように配置されているとともに、内側下部には、駆動装置４Ｃによって回転される撹絆羽根４Ｄが配置されている。
【００４７】
前記油水混合装置（噴霧混合装置）４の底部には、管路１３の一端が連結されており、またその他端は、前段フィルタ１４の入口側に連結されている。この前段フィルタ１４の内部構造は、ここでは図示しないが、その内部には、ポリプロピレンの化繊紙を使用した、濾過精度（ＪＩＳ  Ｚ８９０１の７種のダストを混合した液において濾過効率９０％となる粒径）が略５μｍのフィルタ部材が収容されている。
【００４８】
また、前段フィルタ１４の出口側には、管路１５を介して後段フィルタ１６の入口側が連結されている。この後段フィルタ１６の内部には、濾過精度（ＪＩＳ  Ｚ８９０１の７種のダストを混合した液において濾過効率９０％となる粒径）略０．３μｍの湿式不織布のフィルタ部材又はセルロース混合エステルタイプのメンブレンからなるフィルタ部材が収容されている。
【００４９】
前記後段フィルタ１６の出口側は、管路１７を介して加熱装置１８の入口側に連結されている。また、この加熱装置１８には、透明化剤投入部１９が連結されている。さらに、加熱装置１８の出口側には、製品タンク２０内へ加熱装置１８で最終的に処理された製品を送り出すための取出管路２１が取り付けられている。
【００５０】
以下、前述したプラントによる相溶性透明含水油の製造方法を説明する。
（第１の工程）
本発明の相溶性透明含水油の製造方法における第１の工程は、この実施形態においては、軽油と機能水のエマルジョンとを混合する工程である。
図１において、貯油タンク１に貯留されている軽油は、給油ポンプ５により、給油管路３を通して流水混合装置４内へ導入され、前記給油管路３の末端に連結されている油噴霧ノズル４Ａから対向する水噴霧ノズル４Ｂ側へ向けて勢いよく噴霧される。
【００５１】
一方、貯水タンク２に貯留されている水は、給水ポンプ９により、給水管路７を通して油水混合装置（噴霧混合装置）４へ送られるが、その途中で機能水生成装置８を通過し、この過程で水分子のクラスタが微細化されて、界面活性を高められた機能水に変えられる。
【００５２】
そして、機能水生成装置８から給水管路１０に送り出された機能水は、前記給水管路１０を通過する途中で、乳化剤投入部１２から乳化剤が投入添加された後、油水混合装置（噴霧混合装置）４内へ導入され、前記給水管路１０の末端に設けられている水墳射ノズル４Ｂから、対向する油噴霧ノズル４Ａ側に向けて勢いよく噴霧される。なお、ここで、乳化剤投入部１２から機能水へ添加される乳化剤の量は、機能水に対して重量比率で略０．０３％（即ち、機能水１００質量部に対して乳化剤が０．０３質量部）である。
【００５３】
こうして、これらの対向する油噴霧ノズル４Ａと水噴霧ノズル４Ｂからそれぞれ噴霧された軽油と乳化剤が混入された機能水は、油水混合装置（噴霧混合装置）４内の上部で互いに激しく衝突して空中で混合撹拌されて微粒子され、さらに下方へ落下して油水混合装置（噴霧混合装置）４の下部に滞留する。
【００５４】
この油水混合装置（噴霧混合装置）４の下部の滞留物は、さらに、駆動装置４Ｃによって回転される撹拌羽根４Ｄによって機械的に撹拌されることにより、本発明方法で用いる油水エマルジョンとして最適に調整された、均一に微粒子化されてぬめりのない軽油と磯能水のエマルジョンが得られる。
【００５５】
本発明の相溶性透明含水油の製造方法における第２の工程は、この実施形態においては、前工程で得られた軽油と機能水のエマルジョンを、前段フィルタ１４と後段フィルタ１６を順次通過させて、エマルジョンの粒子をさらに微細化する工程である。
【００５６】
（第２の工程）
油水混合装置（噴霧混合装置）４で生成された油水エマルジョンは、管路１３を通して前段フィルタ１４に入る。前段フィルタ１４の内部には、前述したように、ポリプロピレンの化繊紙を使用した濾過精度が略５μｍのフィルタ部材が収容されており、前段フィルタ１４内では、圧力をかけずに自然流下によって、前記油水エマルジョンをフィルタ部材を透過させて粒子を微細化する。
【００５７】
前段フィルタ１４を通過して微細化された油水エマルジョンは、管路１５を通してその下方に設置されている後段フィルタ１６に流入する。この後段フィルタ１６の内部には、これについても先に述べたように、濾過精度が略０．３μｍの湿式不織布のフィルタ部材又はセルロース混合エステルタイプのメンブレンからなるフィルタ部材が収容されており、この後段フィルタ１６についても、圧力をかけずに自然流下によって前記油水エマルジョンをフィルタ部材を透過させて、その粒子をさらに微粒子化する。
【００５８】
次に、前述した第２の工程に続いて、以下に述べる第３の工程を行う。
（第３の工程）
前記後段フィルタ１６で濾過された油水エマルジョンは、管路１７を通って加熱装置１８に流入する。ここで、油水エマルジョンは６０℃〜６５℃に加熱されることによって、分子活動が活発化されてさらに粒子は細かくなり、永久的なエマルジョン状態に固定される。この上記加熱処理によって、油水エマルジョンは、粒径が０．０５μｍ（５０ｎｍ）以下にまで微粒子化することが期待できる。
【００５９】
また、前記油水エマルジョンは、加熱装置１８内を通過する間に、透明化剤投入部１９から投入される透明化剤としてのシクロヘキシルアミンによって、透明化され、その後、取出管路２１から製品タンク２０内へ取り出されて回収される。
【００６０】
なお、本実施形態においては、機能水生成装置８に光触媒を用いたものを使用しているが、これに限定するものではなく、これと同等な機能水を生成できるものであれば、例えば、遠赤外線放射機能を有する機能陸セラミックスや、天然石、永久磁石等を用いたものを使用してもよい。
【００６１】
また、透明化剤として、シクロヘキシルアミンを用いているが、透明化剤はこれに限定するものではなく、例えば、トリエタノールアミン等、前述の各種アミン類を用いてもよい。
【００６２】
また、この実施形態１では、軽油を用いた相溶性透明含水油の製造方法について説明しているが、本発明はこれに限定するものではなく、他の鉱物油、すなわち石油由来の化石燃料である、Ａ重油、Ｃ重油、バンカーＣ重抽、灯油、ガソリン等や、パーム油等の植物油についでも適用可能である。
【００６３】
なお、本実施形態のものにおいては、第３の工程において、油水エマルジョンを６０℃〜６５℃の温度範囲で加熱しているが、これは、６０℃未満の温度では油水エマルジョンを微粒子化する効果が低減して、永久的なエマルジョン状態の固定が難しくなり、また、６５℃を超えると、引火の危険が生じるためである。
【００６４】
上記加熱温度は、重油のように引火点の高い油を用いる場合には、最高８０℃までの温度範囲で加熱処理を行うことができ、使用する油の引火点に応じて、６０℃〜８０℃の温度範囲で油水エマルジョンに引火の危険の生じない、最適な加熱温度を選択することができる。
【００６５】
本方法によって製造が可能な相溶性透明含水油の、原料油に対する機能水の混合率（重量％〉の上限は下記の通りである。
ガソリン                  ３０％
軽油                      ３０％
灯油                      ５０％
Ａ重油                    ４０％
Ｃ重油                    ３０％
バンカーＣ重油            ３０％
パーム油（バイオディーゼル燃料を含む）  ３０％
【００６６】
また、特に、パーム油等の植物油は、鉱物油とは異なり一般に融点が高く、元来、冬期や寒冷地での使用には不向きであったが、本発明方法によって得られる含水油では、融点を−２０℃まで下げることが可能となり、燃料油としての実用価値が高められた。
【実施例】
【００６７】
以下、実施例を用いてより具体的に説明する。
［１］相溶性透明含水油の製造
〈実施例１〉軽油を用いた相溶性透明含水油（油７０／水３０）の製造
実施形態１に示した図１のプラントを用い、貯油タンク１に軽油を投入し、貯水タンク２に水を投入する。水は、水道水（酸化還元電位が約５００ｍＶ）を逆浸透膜を通過させた脱イオンされた水（酸化還元電位が３００〜５００ｍＶ）である。
（１）第１の工程
貯油タンク１内に貯留された軽油は、ポンプ５によって送油されながら、流量計６によって監視され、流量はポンプ５へとフィードバックされる。ここでの流量は、実施例１においては、機能水１００質量部に対して３０質量部となるように制御されるとともに、噴霧混合手段４の第１の噴霧手段４Ａへと送油されて第１の噴霧手段４Ａから噴霧される。尚、第１の噴霧手段４Ａには２００Ｖの正電荷が印加されている。【００６８】
一方、貯水タンク２からポンプ９によって水を機能水生成装置８へと送水して、水を機能水へと変化させる。機能水生成装置８は、管長約１ｍの二重管（内部管は透明であり光を透過できる）を備え、その内管内に蛍光灯が配置され、内管と外管との間隙に約５ｍｍ粒径の酸化チタンが充填された構造を呈する。機能水生成装置８へ送水された水は、機能水生成装置８内で内管と外管との間へ一端側から導入されて他端側から排出され、必要に応じて再び一端側へ送水されて機能水生成装置８内で所望時間循環できる構造となっている。貯水タンクから送水された水は機能水生成装置８内部を複数回通過するように循環されながら、水の酸化還元電位が３００ｍＶ以下となった状態で、管路１０へ送水される。【００６９】
管路１０上では機能水の流量を流量計１１によって監視するとともにポンプ９へとフィードバックされて制御される。乳化剤投入部１２からは、水１００質量部に対して、乳化剤としてヤシ油脂肪酸ジエタノールアミド（ミヨシ油脂株式会社製、品名「アミコール  「ＣＤＥ−１」）０．５質量部の割合で投入され、管路１０内で混合されながら、噴霧混合手段４の第２の噴霧手段４Ｂへと送水されて第２の噴霧手段４Ｂから噴霧される。尚、第２の噴霧手段４Ｂには２００Ｖの負電荷が印加されている。
第１の噴霧手段４Ａから軽油が、第２の噴霧手段４Ｂから機能水と乳化剤とが各々対向して噴霧されることで混合され、噴霧混合手段４の槽内に油水混合されたエマルジョンとして一時的に貯留される。この噴霧混合手段４の槽内では撹拌羽根４Ｄが３００回転／分の回転速度で回転されており、２〜３分間この槽内で撹拌されることとなる。【００７０】
（２）第２の工程
噴霧混合手段４の槽内に貯留された油水混合されたエマルジョンは、管路１３を通して前段フィルタ１４へと送られる。前段フィルタ１４の内には、濾過精度５μｍのポリプロピレンの化繊紙（安積濾紙株式会社製、同社規定の濾過精度が５μｍであるポリプロピレン化繊紙）を使用した濾材が収容されている。この前段フィルタ１４内では、圧力をかけずに自然流下によって、油水エマルジョンが透過される。
更に、前段フィルタ１４を通過した油水エマルジョンは、管路１５を通してその下方に設置された後段フィルタ１６に流入する。後段フィルタ１６の内には、濾過精度０．３μｍの湿式不織布（安積濾紙株式会社製、同社規定の濾過精度が０．３μｍである湿式不織布）が収容されている。この後段フィルタ１６内では、圧力をかけずに自然流下によって前段フィルタ１４を通過された油水エマルジョンが透過される。【００７１】
（３）第３の工程
後段フィルタ１６を通過した油水エマルジョンは、管路１７を通って加熱装置１８へと流入される。加熱装置１８内には図示されない加熱手段（油水エマルジョンを所望の温度にまで加温する加熱手段）を備えており、この加熱手段によって油水エマルジョンは槽内で６０℃〜６５℃になるように加温される。更に、油水エマルジョンが、加熱装置１８内を通過する間に、透明化剤投入部１９からは、透明化剤としてシクロヘキシルアミンとトリエタノールアミンとを質量比２：８で混合した混合物が、油水エマルジョン１００質量部に対して０．８質量部の割合で添加混合される。この添加混合によって、油水エマルジョンは最終的に透明化されて、取出管路２１を通って製品タンク２０内へと送られて、本発明の相溶性透明含水油を得る。
本実施例１で得られる相溶性透明含水油は、軽油と水との合計を１００質量％とした場合に軽油７０質量％と水３０質量％とが含まれる。【００７２】
〈実施例２〉軽油を用いた相溶性透明含水油（油８０／水２０）の製造
上記実施例１と同様にして、軽油と水との合計を１００質量％とした場合に軽油７０質量％と水３０質量％とが含まれた相溶性透明含水油を得る。【００７３】
〈実施例３〉重油を用いた相溶性透明含水油（油６０／水４０）の製造
上記実施例１と同様にして、重油と水との合計を１００質量％とした場合に重油６０質量％と水４０質量％とが含まれた相溶性透明含水油を得る。【００７４】
［２］相溶性透明含水油の評価
（１）軽油及び重油について
上記［１］で得られた３種の相溶性透明含水油について日本海事検定協会へ委託し、下記の各評価を行った。その結果、実施例１の相溶性透明含水油、実施例２の相溶性透明含水油は、いずれも、密度（１５℃）、動粘度（５０℃）、流動点、灰分、セタン指数、硫黄分、引火点、水分（ＫＦ法）、水分（蒸留法）、全酸価、１０％留出温度、５０％留出温度、９０％留出温度、残留炭素分、の各項目においてＪＩＳ  Ｋ  ２２０４に規定された軽油に含まれるものであった。
同様に、実施例３の相溶性透明含水油は、密度（１５℃）、動粘度（５０℃）、流動点、灰分、セタン指数、硫黄分、引火点、水分（ＫＦ法）、水分（蒸留法）、全酸価、１０％留出温度、５０％留出温度、９０％留出温度、残留炭素分、の各項目においてＪＩＳ  Ｋ  ２２０５に規定された重油に含まれた。【００７５】
（２）発熱量｛ＪＩＳ  Ｋ２２７９による発熱量（Ｊ／ｇ）評価｝について
実施例１の軽油７０質量％と水３０質量％との相溶性透明含水油の発熱量は４５３００Ｊ／ｇであった。
実施例２の軽油８０質量％と水２０質量％との相溶性透明含水油の発熱量は４５８００Ｊ／ｇであった。
実施例３の重油６０質量％と水４０質量％との相溶性透明含水油の発熱量は４５８５０Ｊ／ｇであった。
尚、実施例１及び実施例２に利用した軽油を単独で測定した場合の発熱量は４５８００Ｊ／ｇであった。
また、実施例３及に利用した重油を単独で測定した場合の発熱量は４６０００Ｊ／ｇであった。
【産業上の利用可能性】
【００７６】
本発明の相溶性透明含水油の製造方法は、鉱物油（石油由来のＡ重油、Ｃ重油、バンカーＣ重油、軽油、灯油、ガソリン等の化石燃料）やパーム油等の植物油を原料とした含水油の製造方法として、幅広く利用可能である。
【図１】
2013054451.tif 000003
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
鉱物油及び植物油から選択される少なくとも一方の油と、水と、乳化剤と、を混合してエマルジョンを得る第１の工程と、
前記エマルジョンを、前段フィルタと前記前段フィルタよりも濾過精度が小さい後段フィルタとを順次通過させる第２の工程と、
前記第２の工程を経たエマルジョンを１００℃以下に加温した状態で、該エマルジョンに透明化剤としてのアミン類を混合する第３の工程と、を備え、
前記前段フィルタの濾過精度は１〜１０μｍであることを特徴とする相溶性透明含水油の製造方法。
【請求項２】
前記水は、酸化チタンと接触されながら紫外線照射された水である請求項１に記載の相溶性透明含水油の製造方法。
【請求項３】
前記後段フィルタの濾過精度は０．０５〜０．８μｍである請求項１又は２に記載の相溶性透明含水油の製造方法。
【請求項４】
前記第１の工程では、第１の噴霧手段と、前記第１の噴霧手段に対向して配置された第２の噴霧手段と、を備えた噴霧混合装置を用い、
前記第１の噴霧手段から油を噴霧し、前記第２の噴霧手段から水及び乳化剤を噴霧し、前記油と前記水と前記乳化剤との混合を行う請求項１乃至３のうちのいずれかに記載の相溶性透明含水油の製造方法。
【請求項５】
前記アミン類は、シクロヘキシルアミンを含む請求項１乃至４のうちのいずれかに記載の相溶性透明含水油の製造方法。
【請求項６】
前記乳化剤は、脂肪酸アルカノールアミド型のノニオン界面活性剤を含む請求項１乃至５のうちのいずれかに記載の相溶性透明含水油の製造方法。
【請求項７】
前記油が鉱物油を含む場合であって、前記第３の工程における加温されたエマルジョンの温度が５０〜８０℃である請求項１乃至６のうちのいずれかに記載の相溶性透明含水油の製造方法。
【請求項８】
前記第１の噴霧手段において前記油に正電荷を付与し、前記第２の噴霧手段において前記水及び前記乳化剤に負電荷を付与する請求項４に記載の相溶性透明含水油の製造方法。
【手続補正２】
【補正対象書類名】明細書
【補正対象項目名】０００９
【補正方法】変更
【補正の内容】
【０００９】
即ち、本発明は以下に示す通りである。
（１）請求項１に記載の相溶性透明含水油の製造方法は、鉱物油及び植物油から選択される少なくとも一方の油と、水と、乳化剤と、を混合してエマルジョンを得る第１の工程と、
前記エマルジョンを、前段フィルタと前記前段フィルタよりも濾過精度が小さい後段フィルタとを順次通過させる第２の工程と、
前記第２の工程を経たエマルジョンを１００℃以下に加温した状態で、該エマルジョンに透明化剤としてのアミン類を混合する第３の工程と、を備え、
前記前段フィルタの濾過精度が１〜１０μｍであることを特徴とする。
（２）請求項２に記載の相溶性透明含水油の製造方法は、請求項１において、前記水が、酸化チタンと接触されながら紫外線照射された水であることを要旨とする。
（３）請求項３に記載の相溶性透明含水油の製造方法は、請求項１又は２において、前記後段フィルタの濾過精度が０．０５〜０．８μｍであることを要旨とする。
（４）請求項４に記載の相溶性透明含水油の製造方法は、請求項１乃至３のうちのいずれかにおいて、前記第１の工程では、第１の噴霧手段と、前記第１の噴霧手段に対向して配置された第２の噴霧手段と、を備えた噴霧混合装置を用い、
前記第１の噴霧手段から油を噴霧し、前記第２の噴霧手段から水及び乳化剤を噴霧し、前記油と前記水と前記乳化剤との混合を行うことを要旨とする。
（５）請求項５に記載の相溶性透明含水油の製造方法は、請求項１乃至４のうちのいずれかにおいて、前記アミン類が、シクロヘキシルアミンを含むことを要旨とする。
（６）請求項６に記載の相溶性透明含水油の製造方法は、請求項１乃至５のうちのいずれかにおいて、前記乳化剤が、脂肪酸アルカノールアミド型のノニオン界面活性剤を含むことを要旨とする。
（７）請求項７に記載の相溶性透明含水油の製造方法は、請求項１乃至６のうちのいずれかにおいて、前記油が鉱物油を含む場合であって、前記第３の工程における加温されたエマルジョンの温度が５０〜８０℃であることを要旨とする。
（８）請求項８に記載の相溶性透明含水油の製造方法は、請求項４において、前記第１の噴霧手段において前記油に正電荷を付与し、前記第２の噴霧手段において前記水及び前記乳化剤に負電荷を付与することを要旨とする。
【手続補正３】
【補正対象書類名】明細書
【補正対象項目名】００３１
【補正方法】変更
【補正の内容】
【００３１】
前段フィルタの濾過精度に対して後段フィルタの濾過精度は小さければよくその差異は特に限定されないが、５倍以上の濾過精度の差異があることが好ましく、更には、５〜２０倍の差異があることが好ましく、特に５〜１０倍の差異があることが好ましい。より具体的には、前段フィルタの濾過精度は１〜１０μｍであり、２〜９μｍであることが好ましく、３〜７μｍであることがより好ましい。また、後段フィルタの濾過精度は０．０５〜０．８μｍであることが好ましく、０．１〜０．７μｍであることがより好ましく、０．１５〜０．６μｍであることが更に好ましい。
【国際調査報告】
2013054451.tif 000004
2013054451.tif 000005